(57)【特許請求の範囲】
【請求項１】
負荷コイルとスイッチング手段を含み直流を高周波交流に変換し、前記負荷コイルに高周波電流を供給するインバータ回路と、前記インバータ回路の動作を制御する制御回路とを有し、前記制御回路は前記スイッチング手段を駆動する駆動手段と、前記インバータ回路の入力電流を検知する入力検知手段と、前記インバータ回路の入力電流を設定する操作部と、前記スイッチング手段の導通時間を増減させることにより、前記入力検知手段で検知した入力電流が前記操作部で設定した入力電流となるように前記インバータ回路の入力電流を制御する入力電流制御手段とを備え、前記導通時間対前記インバータ回路の入力電流の特性の極値を検知する極値検知手段をさらに有し、前記入力電流制御手段は、前記極値検知手段が前記極値の存在を検知し、かつ前記操作部で設定した入力電流に対応する前記導通時間が複数存在する場合に、前記極値検知手段で検知した前記極値から選択した極大値に対応する前記導通時間以下でかつ選択した前記極大値に最も近い前記導通時間となるように前記インバータ回路の入力電流を制御する加熱調理器。
【請求項２】
負荷コイルとスイッチング手段を含み直流を高周波交流に変換し、前記負荷コイルに高周波電流を供給するインバータ回路と、前記インバータ回路の動作を制御する制御回路とを有し、前記制御回路は前記スイッチング手段を駆動する駆動手段と、前記インバータ回路の入力電流を検知する入力検知手段と、前記インバータ回路の入力電流を設定する操作部と、前記スイッチング手段の導通時間を増減させることにより、前記入力検知手段で検知した入力電流が前記操作部で設定した入力電流となるように前記インバータ回路の入力電流を制御する入力電流制御手段と、を備え、前記操作部で設定された入力電流に対応する前記導通時間が複数存在する場合に、前記操作部において前記入力電流の設定を変更した時は、前記導通時間を、前記操作部で設定された入力電流に対応する前記複数の導通時間のうち最も短い前記導通時間より短い前記導通時間まで減少させた後に前記操作部で設定された入力電流となるまで増加させる再開始手段をさらに備えてなる加熱調理器。
【発明の詳細な説明】
【０００１】
【発明の属する技術分野】
本発明は、家庭用または業務用で使用されるインバータを用いた加熱調理器に関するものである。
【０００２】
【従来の技術】
近年、誘導加熱、誘電加熱を応用し、インバータを用いた加熱調理器はその加熱応答性・制御性の良さを生かして、負荷となる鍋や食材等の近傍に温度検出素子や重量センサ等を載置し、鍋や食材等の温度や食材等の重量を検出し、それに応じて火力の調節や調理時間の調節を行うことで、きめ細かな調理を実現すると共に、炎を用いず、かつ熱効率が高いので、室内の空気を汚すことも少なく、安全かつ清潔であるという特性が注目され、その需要が急速に伸びてきている。
【０００３】
以下に従来の加熱調理器の動作について図面に基づいて説明する。図４は従来例の構成を示すブロック図、図５は本従来例のスイッチング手段の導通時間Ｔｏｎ対インバータ回路の入力電流Ｉｉｎの特性図である。
【０００４】
図４において、２１は商用電源、２２は整流回路、２３は平滑回路、２４はスイッチング手段２４ａと負荷コイル２４ｂを含み、負荷コイル２４ｂに高周波電流を印加することにより負荷鍋２５を誘導加熱するインバータ回路、制御回路２６は、スイッチング手段２４ａの導通時間を制御すべく駆動手段２７にスイッチング手段２４ａを駆動させる信号を出力する入力電流制御手段２８と、インバータ回路２４への入力電流を検知する入力検知手段２９と、インバータ回路２４の動作状態を設定するスイッチ等で構成した操作部３０とを有している。
【０００５】
上記構成において動作を説明する。インバータ回路２４は商用電源２１を整流回路２２で整流して平滑回路２３で平滑した直流を高周波交流に変換し、負荷コイル２４ｂに高周波電流を流すことで、負荷コイル２４ｂと磁気結合した負荷鍋２５に渦電流を発生させて、そのジュール熱で負荷鍋２５を誘導加熱している。入力電流制御手段２８は、入力検知手段２９で検知した値が操作部２８で設定された所望の火力に対応する入力電流値になる様に、インバータ回路２４のスイッチング手段２４ａの導通時間を変化させて、入力電流を制御している。
【０００６】
本従来例では入力電流制御手段２８はマイクロコンピュータで構成しており、設定された入力電流値よりも入力検知手段２９で検知した入力電流値が大きければ、スイッチング手段２４ａの導通時間を減少し、逆に設定された入力電流値よりも入力検知手段２９で検知した入力電流値が小さければ、スイッチング手段２４ａの導通時間を増加する、フィードバック制御を行うことでインバータ回路の入力電流を略一定に保つようにしている。
【０００７】
この時、図５に示すＡの様な特性を持つ負荷鍋２４であれば、スイッチング手段２４ａの導通時間Ｔｏｎに対するインバータ回路２４の入力電流Ｉｉｎ特性は単調増加であるので、操作部３０で現在の入力電流設定を増減させた後に再び増減させる前の入力電流に設定しても略同一のスイッチング手段２４ａの導通時間Ｔｏｎで動作させることができる。
【０００８】
【発明が解決しようとする課題】
しかしながら、以上のような従来の加熱調理器では、図５に示すＢの様な特性を持つ負荷鍋２５を動作させている場合には、スイッチング手段２４ａの導通時間Ｔｏｎに対するインバータ回路２４の入力電流Ｉｉｎ特性は単調増加ではなく、極値を持っており１つの入力電流に対して複数のスイッチング手段２４ａの導通時間が存在しているので、操作部３０で現在の入力電流設定を増減させた後に再び増減させる前の入力電流に設定すると、異なったスイッチング手段の導通時間で同一のインバータ回路２４の入力電流として動作してしまう。そうなると、一般的には特性Ａ、Ｂの差に依らず、スイッチング手段２４ａの導通時間に対してスイッチング手段２４ａの両端電圧は単調増加の特性であるので、特性Ｂの負荷鍋２５では単一のインバータ回路２４の入力電流に対してスイッチング手段２４ａやインバータ回路２４を構成する他のパワー部品の電気的ストレスが大きくなる動作点が存在し、機器の冷却性能強化のためのコストアップ、冷却ファン風量増による騒音増加や、ＥＭＣ対策でのコストアップ、機器の信頼性低下、またパワー部品の異常高温保護のため加熱が一時停止する等して使い勝手が低下してしまうという課題を有していた。
【０００９】
本発明は、上記課題を解決するもので、スイッチング手段の導通時間対インバータ回路の入力電流特性が、単調増加ではなく、いくつかの極値を持つような場合でも、スイッチング手段や他のインバータ回路を構成するパワー部品の電気的ストレスが軽減される動作点、或いはスイッチング手段のスイッチングノイズの低い動作点等を選択してインバータ回路を動作させることで、安価で、使い勝手の良い加熱調理器を提供することを目的とする。
【００１０】
【課題を解決するための手段】
上記課題を解決するために本発明は、負荷コイルとスイッチング手段を含み直流を高周波交流に変換し、前記負荷コイルに高周波電流を供給するインバータ回路と、前記インバータ回路の動作を制御する制御回路とを有し、前記制御回路は前記スイッチング手段を駆動する駆動手段と、前記インバータ回路の入力電流を検知する入力検知手段と、前記インバータ回路の入力電流を設定する操作部と、前記スイッチング手段の導通時間を増減させることにより、前記入力検知手段で検知した入力電流が前記操作部で設定した入力電流となるように前記インバータ回路の入力電流を制御する入力電流制御手段とを備え、前記導通時間対前記インバータ回路の入力電流の特性の極値を検知する極値検知手段をさらに有し、前記入力電流制御手段は、前記極値検知手段が前記極値の存在を検知し、かつ前記操作部で設定した入力電流に対応する前記導通時間が複数存在する場合に、前記極値検知手段で検知した前記極値から選択した極大値に対応する前記導通時間以下でかつ選択した前記極大値に最も近い前記導通時間となるように前記インバータ回路の入力電流を制御することにより、極値検知手段が入力検知手段の出力と入力電流制御手段が出力しているスイッチング手段の導通時間から、スイッチング手段の導通時間対インバータ回路の入力電流の特性における極値を検知することができるので、スイッチング手段の導通時間対インバータ回路の入力電流の特性が単調増加ではなく、極値を持つ、つまり１つの入力電流に対して複数のスイッチング手段の導通時間が存在する場合でも、極値検知手段が検知している極値の中で、スイッチング手段等、インバータ回路を構成するパワー部品の電気的ストレスが低い動作点、或いは、スイッチング手段の電圧負担が多少大きくとも、スイッチング手段から発するスイッチングノイズが低減される動作点というように、入力電流制御手段が適宜選択することができる。
【００１１】
【発明の実施の形態】
本発明の目的は、各請求項に記載した構成を実施の形態とすることにより達成することができるので、以下には各請求項の特徴とする構成に作用を併記して実施の形態の意義を理解しやすく説明することとする。
【００１２】
請求項１に記載の発明は、負荷コイルとスイッチング手段を含み直流を高周波交流に変換し、前記負荷コイルに高周波電流を供給するインバータ回路と、前記インバータ回路の動作を制御する制御回路とを有し、前記制御回路は前記スイッチング手段を駆動する駆動手段と、前記インバータ回路の入力電流を検知する入力検知手段と、前記インバータ回路の入力電流を設定する操作部と、前記スイッチング手段の導通時間を増減させることにより、前記入力検知手段で検知した入力電流が前記操作部で設定した入力電流となるように前記インバータ回路の入力電流を制御する入力電流制御手段とを備え、前記導通時間対前記インバータ回路の入力電流の特性の極値を検知する極値検知手段をさらに有し、前記入力電流制御手段は、前記極値検知手段が前記極値の存在を検知し、かつ前記操作部で設定した入力電流に対応する前記導通時間が複数存在する場合に、前記極値検知手段で検知した前記極値から選択した極大値に対応する前記導通時間以下でかつ選択した前記極大値に最も近い前記導通時間となるように前記インバータ回路の入力電流を制御するものであり、この構成により、入力電流制御手段の出力に基づき、インバータ回路のスイッチング手段を駆動手段にて駆動して、負荷コイルに高周波電流を供給することで、負荷コイルから発生する高周波磁束により鍋等の負荷を誘導加熱する、あるいは負荷コイルから発生する高周波電圧によりマグネトロンを駆動し、そのマグネトロンから発するマイクロ波を負荷となる調理物等に当てて誘電加熱することができる。負荷への加熱火力は入力検知手段で検知したインバータ回路の入力電流が操作部で設定した入力電流に等しくなる様にスイッチング手段の導通時間または駆動周期を可変させることで、負荷コイルに流れる高周波電流量を変化させて制御できる。
【００１３】
また、極値検知手段が入力検知手段の出力と、入力電流制御手段が出力しているスイッチング手段の導通時間から、スイッチング手段の導通時間対インバータ回路の入力電流の特性における極値を検知することができるので、スイッチング手段の導通時間対インバータ回路の入力電流の特性が単調増加ではなく、極値を持つ、つまり１つの入力電流に対して複数のスイッチング手段の導通時間が存在する場合でも、極値検知手段が検知している極値の中で、スイッチング手段等、インバータ回路を構成するパワー部品の電気的ストレスが低い動作点、或いは、スイッチング手段の電圧負担が多少大きくとも、スイッチング手段から発するスイッチングノイズが低減される動作点というように、入力電流制御手段が適宜選択してインバータ回路を動作させることができるという作用を有する。
【００１６】
請求項２に記載の発明は、負荷コイルとスイッチング手段を含み直流を高周波交流に変換し、前記負荷コイルに高周波電流を供給するインバータ回路と、前記インバータ回路の動作を制御する制御回路とを有し、前記制御回路は前記スイッチング手段を駆動する駆動手段と、前記インバータ回路の入力電流を検知する入力検知手段と、前記インバータ回路の入力電流を設定する操作部と、前記スイッチング手段の導通時間を増減させることにより、前記入力検知手段で検知した入力電流が前記操作部で設定した入力電流となるように前記インバータ回路の入力電流を制御する入力電流制御手段と、を備え、前記操作部で設定された入力電流に対応する前記導通時間が複数存在する場合に、前記操作部において前記入力電流の設定を変更した時は、前記導通時間を、前記操作部で設定された入力電流に対応する前記複数の導通時間のうち最も短い前記導通時間より短い前記導通時間まで減少させた後に前記操作部で設定された入力電流となるまで増加させる再開始手段をさらに具備したものであり、この手段により、入力電流制御手段の出力に基づき、インバータ回路のスイッチング手段を駆動手段にて駆動して、負荷コイルに高周波電流を供給することで、負荷コイルから発生する高周波磁束により鍋等の負荷を誘導加熱する、あるいは負荷コイルから発生する高周波電圧によりマグネトロンを駆動し、そのマグネトロンから発するマイクロ波を負荷となる調理物等に当てて誘電加熱することができる。負荷への加熱火力は入力検知手段で検知したインバータ回路の入力電流が操作部で設定した入力電流に等しくなる様にスイッチング手段の導通時間または駆動周期を可変させることで、負荷コイルに流れる高周波電流量を変化させて制御できる。
【００１７】
また、スイッチング手段の導通時間対インバータ回路の入力電流の特性に極値がある場合に、その極値の中で極大値が全て操作部で設定した入力電流以上という様に、操作部で設定した入力電流に対してインバータ回路の動作点が複数存在する時に、操作部にて入力電流設定を変更した際には、再開始手段が、所定の導通時間、例えば、設定した入力電流値以下で、最初の極大値以下となる導通時間より小の導通時間、まで減少させた後、設定した入力電流となるまで増加させることができるので、設定された入力電流値よりも入力検知手段で検知した入力電流値が大きければ、スイッチング手段の導通時間を減少し、逆に設定された入力電流値よりも入力検知手段で検知した入力電流値が小さければ、スイッチング手段の導通時間を増加すると言ったマイクロコンピュータが簡単に行うことのできるフィードバック制御を用いてインバータ回路の入力電流を略一定に保つことができるという作用を有する。
【００１８】
これによって、この様な極値を持った負荷であってもスイッチング手段の導通時間に対するスイッチング手段の両端電圧は単調増加であるので、設定した入力電流以下で、常に導通時間が小となる動作点を選択することができ、スイッチング手段等のパワー部品の電気的ストレスを軽減してインバータ回路を動作させることが可能となる。
【００１９】
【実施例】
（実施例１）
以下本発明の実施例を図面に基づいて説明する。図１は本発明の第１の実施例の構成を示すブロック図、図３は本発明の第１の実施例のスイッチング手段の導通時間Ｔｏｎ対インバータ回路の入力電流Ｉｉｎの特性図及びスイッチング手段の導通時間Ｔｏｎ対スイッチング手段の両端電圧Ｖｃｅの特性図である。
【００２０】
図１において、１は商用電源、２は整流回路、３は平滑回路、４はスイッチング手段４ａと負荷コイル４ｂを含み、負荷コイル４ｂに高周波電流を印加することにより負荷鍋５を誘導加熱するインバータ回路、制御回路６は、スイッチング手段４ａの導通時間を制御すべく駆動手段７にスイッチング手段４ａを駆動させる信号を出力する入力電流制御手段８と、インバータ回路４への入力電流を検知する入力検知手段９と、インバータ回路４の動作状態を設定するスイッチ等で構成した操作部１０と、入力電流制御手段８が出力しているスイッチング手段４ａの導通時間出力と入力検知手段９の出力を基に、スイッチング手段４ａの導通時間Ｔｏｎ対インバータ回路４の入力電流Ｉｉｎの特性（以下Ｔｏｎ対Ｉｉｎ特性とする）からこの極値を検知する極値検知手段１１と、操作部１０で設定しているインバータ回路４の入力電流設定が変更された時に、スイッチング手段４ａの導通時間を所定の値まで減少させた後再度、設定された入力電流値を目標として増加させる信号を入力電流制御手段８に出力する再開始手段１２を有している。
【００２１】
上記構成において動作を説明する。使用者が操作部１０のスイッチ等を操作することにより操作部１０は入力電流制御手段８にインバータ回路４を動作開始あるいは設定火力（インバータ回路４の入力電流の設定）の信号を出力する。これを受けた入力電流制御手段８は加熱動作を開始したり、あるいは加熱動作中であれば、加熱停止や火力の設定を変えるべく駆動手段７にスイッチング手段４ａを駆動させる。
【００２２】
インバータ回路４は駆動手段７の駆動信号に基づいたスイッチング手段４ａのオンオフによって、商用電源１を整流回路２で整流して平滑回路３で平滑した直流を高周波交流に変換し、負荷コイル４ｂに高周波電流を流すことで、負荷コイル４ｂと磁気結合した負荷鍋５に渦電流を発生させて、そのジュール熱で負荷鍋５を誘導加熱している。
【００２３】
次に、入力電流制御手段８は入力検知手段９で検知した入力電流が、操作部１０で設定した火力に対応した所望の入力電流に達するまでスイッチング手段４ａの導通時間（以下Ｔｏｎとする）を増減させ、負荷コイル４ｂに供給する高周波電流を変化して負荷鍋５の加熱火力を制御している。
【００２４】
この時、極値検知手段１１は入力電流制御手段８が出力しているスイッチング手段４ａの導通時間出力と入力検知手段９の出力を入力することで、Ｔｏｎ対Ｉｉｎ特性を観測している。具体的には、インバータ回路４を動作開始させた時に、一旦Ｔｏｎの最小値から最大値若しくはインバータ回路４が安定して動作する最高値まで増加させることによって現在の加熱対象となっている負荷鍋５のＴｏｎ対Ｉｉｎ特性を読み込む。そして、このＴｏｎ対Ｉｉｎ特性に極値が存在すれば、どのＴｏｎで幾らのＩｉｎとなる極値であるかを入力電流制御手段８に出力する。
【００２５】
これによって、操作部１０で設定したＩｉｎ値に対して、動作点が複数存在するかどうかを入力電流制御手段８が判別することができる。本実施例では、動作点が複数存在する場合、図３のＴｏｎ対Ｉｉｎ特性において、操作部１０で設定したＩｉｎ値がＩｉｎ１である時には、図３のスイッチング手段の導通時間Ｔｏｎ対スイッチング手段４ａの両端電圧Ｖｃｅの特性に示す様にＴｏｎの増加に対してスイッチング手段４ａの両端電圧Ｖｃｅは単調増加であるので、スイッチング手段４ａの電圧負担が少なく、導通損失やスイッチング損失の低い動作点ａを入力電流制御手段８が選択してインバータ回路４を動作させることで、必要以上の冷却性能強化による冷却ファンの風量アップのための風切り音の増加や、スイッチング手段４ａに取り付けてある冷却フィンの大型化、或いは冷却能力不足に起因するスイッチング手段４ａ等のパワー部品の異常高温保護のためのインバータ回路４の停止や入力電流ダウン等による調理性能の低下を回避することができる。
【００２６】
また、スイッチング手段４ａの電圧負担が多少大きくとも、スイッチング手段４ａから発するスイッチングノイズが、低減される動作点がａではなくｃであり、ＥＭＣに有利であるならば、動作点ｃを選択して、ＥＭＣ対策による部品追加等のコストアップを抑えるということもできる。
【００２７】
更に、図３のＴｏｎ対Ｉｉｎ特性において、操作部１０で設定したＩｉｎ値がＩｉｎ２である時には、Ｔｏｎを最大値まで増加させてもＩｉｎ２に達しないので、入力電流制御手段８は極値検知手段１１で検知した極値から極大値を選び、更にその中でも値の大きい極大値である動作点ｆを選択して、この特性を持つ負荷鍋５での最大火力でインバータ回路４を動作させることができ、調理性能を極力低下させないようにできる。
【００２８】
尚、本実施例では、スイッチング手段の導通時間のみを増減させて入力電流の制御を行うことについて説明しているが、スイッチング手段の導通時間と駆動周期とを組み合わせて増減させた場合でも、Ｔｏｎ対Ｉｉｎ特性が極値を持つのであれば、同様の効果を得られることは言うまでもないことである。そして、以上の効果は誘導加熱調理器に限らず、電子レンジ等のインバータを有する加熱調理器に適用できる。
【００２９】
（実施例２）
以下本発明の第２の実施例を図面に基づいて説明する。図２は本発明の実施例の構成を示すブロック図、図３は本発明の実施例のスイッチング手段の導通時間Ｔｏｎ対インバータ回路の入力電流Ｉｉｎの特性図及びスイッチング手段の導通時間Ｔｏｎ対スイッチング手段の両端電圧Ｖｃｅの特性図である。
【００３０】
図２において、１は商用電源、２は整流回路、３は平滑回路、４はスイッチング手段４ａと負荷コイル４ｂを含み、負荷コイル４ｂに高周波電流を印加することにより負荷鍋５を誘導加熱するインバータ回路、制御回路６は、スイッチング手段４ａの導通時間を制御すべく駆動手段７にスイッチング手段４ａを駆動させる信号を出力する入力電流制御手段８と、インバータ回路４への入力電流を検知する入力検知手段９と、インバータ回路４の動作状態を設定するスイッチ等で構成した操作部１０と、操作部１０で設定しているインバータ回路４の入力電流設定が変更された時に、スイッチング手段４ａの導通時間を所定の値まで減少させた後再度、設定された入力電流値を目標として増加させる信号を入力電流制御手段８に出力する再開始手段１２を有している。
【００３１】
上記構成において動作を説明する。使用者が操作部１０のスイッチ等を操作することにより操作部１０は入力電流制御手段８にインバータ回路４を動作開始あるいは設定火力（インバータ回路４の入力電流の設定）の信号を出力する。これを受けた入力電流制御手段８は加熱動作を開始したり、あるいは加熱動作中であれば、加熱停止や火力の設定を変えるべく駆動手段７にスイッチング手段４ａを駆動させる。
【００３２】
インバータ回路４は駆動手段７の駆動信号に基づいたスイッチング手段４ａのオンオフによって、商用電源１を整流回路２で整流して平滑回路３で平滑した直流を高周波交流に変換し、負荷コイル４ｂに高周波電流を流すことで、負荷コイル４ｂと磁気結合した負荷鍋５に渦電流を発生させて、そのジュール熱で負荷鍋５を誘導加熱している。
【００３３】
次に、入力電流制御手段８は入力検知手段９で検知した入力電流が、操作部１０で設定した火力に対応した所望の入力電流に達するまでスイッチング手段４ａの導通時間（以下Ｔｏｎとする）を増減させ、負荷コイル４ｂに供給する高周波電流を変化して負荷鍋５の加熱火力を制御している。
【００３４】
再開始手段１２は、操作部１０で設定した入力電流が図３のＩｉｎ３で動作点ｆにてインバータ回路４が動作している時に、入力電流設定をＩｉｎ１に変更すると、再開始手段１２は入力電流制御手段８に一旦Ｔｏｎを動作点ａより小さい導通時間まで減少させる信号を出力する。その後、入力電流制御手段８は再び導通時間をＩｉｎ１となる最初の動作点ａまで増加させていく。
【００３５】
再開始手段１２が無ければ、操作部１０で設定した入力電流が図３のＩｉｎ３で動作点ｆにてインバータ回路４が動作している時に、入力電流設定をＩｉｎ１に変更すると、動作点ａになる前に動作点ｃでＩｉｎ１となるので、動作点ａで動作させることができない。
【００３６】
再開始手段１２が動作することによって、動作点が複数存在する場合、図３のスイッチング手段４ａの導通時間Ｔｏｎ対インバータ回路４の入力電流Ｉｉｎの特性（以下Ｔｏｎ対Ｉｉｎ特性とする）において、操作部１０で設定したＩｉｎ値がＩｉｎ１である時には、図３のスイッチング手段の導通時間Ｔｏｎ対スイッチング手段４ａの両端電圧Ｖｃｅの特性に示す様にＴｏｎの増加に対してスイッチング手段４ａの両端電圧Ｖｃｅは単調増加であるので、スイッチング手段４ａの電圧負担が少なく、導通損失やスイッチング損失の低い動作点ａを入力電流制御手段８が選択してインバータ回路４を動作させることで、必要以上の冷却性能強化による冷却ファンの風量アップのための風切り音の増加や、スイッチング手段４ａに取り付けてある冷却フィンの大型化、或いは冷却能力不足に起因するスイッチング手段４ａ等のパワー部品の異常高温保護のためのインバータ回路４の停止や入力電流ダウンや一時停止等による調理性能・使い勝手の低下を回避することができる。
【００３７】
また、再開始手段１２の動作により、設定された入力電流値よりも入力検知手段９で検知した入力電流値が大きければ、スイッチング手段４ａの導通時間を減少し、逆に設定された入力電流値よりも入力検知手段９で検知した入力電流値が小さければ、スイッチング手段４ａの導通時間を増加すると言ったマイクロコンピュータが簡単に行うことのできるフィードバック制御を用いてインバータ回路の入力電流を略一定に保つことができる。
【００３８】
尚、本実施例では、スイッチング手段の導通時間のみを増減させて入力電流の制御を行うことについて説明しているが、スイッチング手段の導通時間と駆動周期とを組み合わせて増減させた場合でも、Ｔｏｎ対Ｉｉｎ特性が極値を持つのであれば、同様の効果を得られることは言うまでもないことである。そして、以上の効果は誘導加熱調理器に限らず、電子レンジ等のインバータを有する加熱調理器に適用できる。
【００３９】
【発明の効果】
以上の説明から明らかなように、請求項１記載の発明によれば、スイッチング手段の導通時間対インバータ回路の入力電流特性が単調増加でなく、極値が存在し、操作部で設定した入力電流に対してスイッチング手段の導通時間が１点に定まらず複数の動作点がある場合にも、スイッチング手段等のインバータ回路の構成パワー部品の電気的ストレスが小となる動作点やスイッチング手段のスイッチングノイズが小となる動作点といったように適宜有用な動作点を選択することができ、冷却性能強化、ＥＭＣ対策によるコストアップや、機器の信頼性低下、使い勝手の低下を抑制することができる。
【００４２】
請求項２記載の発明によれば、マイクロコンピュータが簡単に行うことのできるフィードバック制御を用いてインバータ回路の入力電流を略一定に保つことができると共に、操作部で設定された入力電流に対応する導通時間が複数存在する場合に、常に設定された入力電流値におけるスイッチング手段の導通時間を最小として、スイッチング手段をはじめとするインバータ回路を構成するパワー部品の電気的ストレスが軽減される動作点でインバータ回路を動作させることができ、冷却性能強化によるコストアップや、機器の信頼性低下、使い勝手の低下を抑制することができる。
【図面の簡単な説明】
【図１】本発明の第１の実施例の加熱調理器の構成を示すブロック図
【図２】本発明の第２の実施例の加熱調理器の構成を示すブロック図
【図３】本発明の第１及び第２の実施例の加熱調理器のスイッチング手段の導通時間Ｔｏｎ対インバータ回路の入力電流Ｉｉｎの特性図及びスイッチング手段の導通時間Ｔｏｎ対スイッチング手段の両端電圧Ｖｃｅの特性図
【図４】従来例の加熱調理器の構成を示すブロック図
【図５】従来例の加熱調理器のスイッチング手段の導通時間Ｔｏｎ対インバータ回路の入力電流Ｉｉｎの特性図
【符号の説明】
４  インバータ回路
４ａ  スイッチング手段
４ｂ  負荷コイル
６  制御回路
７  駆動手段
８  入力電流制御手段
９  入力検知手段
１０  操作部
１１  極値検知手段
１２  再開始手段
【図１】
0004774644.tif 000002
【図２】
0004774644.tif 000003
【図３】
0004774644.tif 000004
【図４】
0004774644.tif 000005
【図５】
0004774644.tif 000006